(57)【要約】      （修正有）【課題】様々な携帯型電子機器を共通に充電、放電可能となり、それぞれの付属電源アダプタ（ＡＣアダプタ）を別に携帯しなくても良くなる、カバー式双方向ワイヤレス充放電装置を提供する。【解決手段】カバー式双方向ワイヤレス充放電装置は、第２の受送信回路装置２１を有する相手側の充放電装置２と共振エネルギーを授受して放電、充電を行い、受容体１１と、第１の受送信回路装置１３と、カバー５とを含む。第１の受送信回路装置１３が受容体１１内に設けられ、第１の受送信回路装置は、受容体から露出されたコネクタ１３６を少なくとも１つ含み、第１及び第２の受送信回路装置の間で共振エネルギーをそれぞれ無線で授受し、該共振エネルギーが電気に切り替えられ且つコネクタを介して伝送され、並びに該電気を共振エネルギーに切り替えられて無線伝送される。前記カバーは、受容体を覆い、且つ、該受容体とで位置決め部１４ａを形成する。【選択図】図２
0003170478.tif 000002
【実用新案登録請求の範囲】
【請求項１】
第２の受送信回路装置を有する相手側の充放電装置と共振エネルギーを授受して放電、充電を行うカバー式双方向ワイヤレス充放電装置であって、
受容体と、
前記受容体から露出されたコネクタを少なくとも１つ含み、前記第２の受送信回路装置との間で前記共振エネルギーをそれぞれ無線で授受し、前記共振エネルギーが電気に切り替えられ且つ前記コネクタを介して伝送され、並びに該電気を共振エネルギーに切り替えられて無線伝送されるように仕組まれ、前記受容体内に設けられた第１の受送信回路装置と、
前記受容体を覆い、且つ、前記受容体とで位置決め部が形成されたカバーと、を含むことを特徴とするカバー式双方向ワイヤレス充放電装置。
【請求項２】
前記カバーは、皮革材質であって、被覆片と、前記被覆片の一方側に連結された蓋片とを含み、前記カバーは、前記受容体を前記被覆片で覆うことを特徴とする請求項１に記載のカバー式双方向ワイヤレス充放電装置。
【請求項３】
前記受容体は、バックボードと、前記バックボードの底部に連結されたベースとを含み、前記バックボードには一対のクランプアームが形成され、前記第１の受送信回路装置のコネクタは、前記ベースの上側から露出され、前記カバーの被覆片の内面には前記両クランプアーム及び前記ベースに対応付ける２つの第１の開口及び１つの第２の開口を有し、前記受容体の両クランプアームが前記２つの第１の開口を経由して前記カバーの外に延在され、前記受容体の前記ベースが前記第２の開口を経由して前記カバーの外に露出され、前記受容体の両クランプアームと前記ベースと前記カバーの前記内面とで前記位置決め部が形成されたことを特徴とする請求項２に記載のカバー式双方向ワイヤレス充放電装置。
【請求項４】
前記カバーは、連結部をさらに有し、前記連結部が前記被覆片及び前記蓋片と隣接する辺に接続されたことを特徴とする請求項２に記載のカバー式双方向ワイヤレス充放電装置。
【請求項５】
前記カバーは、囲い式カバー型であり、その内部は中空となり且つ正面に開口が形成され、前記カバーの周縁と覆われた受容体との間で位置決め部が形成され、前記カバーの開口が前記位置決め部に連通されたことを特徴とする請求項１に記載のカバー式双方向ワイヤレス充放電装置。
【請求項６】
前記受容体は、バックボードと、前記バックボードの底部に連結されたベースとを含み、前記カバーの周縁と前記覆われた受容体の前記バックボードの正面と前記ベースの上側とで前記位置決め部が形成されたことを特徴とする請求項５に記載のカバー式双方向ワイヤレス充放電装置。
【請求項７】
前記第１の受送信回路装置は、第１の電源装置をさらに有し、前記第１の電源装置が前記受容体のバックボードに設けられ、前記第１の電源装置及び前記コネクタに電気が流れることを特徴とする請求項６に記載のカバー式双方向ワイヤレス充放電装置。
【請求項８】
前記カバーは、軟性ゴム材質又は皮革材質のうち１つであることを特徴とする請求項５に記載のカバー式双方向ワイヤレス充放電装置。
【請求項９】
前記第１の受送信回路装置は、第１の蓄電・給電装置と第１の共振回路装置とをさらに含み、前記第２の受送信回路装置は前記第１の受送信回路装置に対応しており、前記第２の受送信回路装置は、第２の共振回路装置と第２の蓄電・給電装置とをさらに含み、
前記第１の蓄電・給電装置は、第１の電気を付与するとともに前記第１の電気を第１の周波数変調信号に切り替えられ、並びに、第４の周波数変調信号を受信するとともに前記第４の周波数変調信号を第４の電気に切り替えて電気を蓄え、前記コネクタが前記第１の蓄電・給電装置に電気的に接続され、
前記第１の共振回路装置が前記第１の蓄電・給電装置に電気的に接続され、前記第１の共振回路装置は、オン状態で前記第１の周波数変調信号を受信して第１の共振エネルギーに切り替えられ、並びに、オフ状態で第２の共振エネルギーを受けて前記第４の周波数変調信号に切り替えられ、
前記第２の共振回路装置は、前記第１の共振回路装置に対応しており、前記第２の共振回路装置は、オフ状態で前記第１の共振エネルギーを受けて第３の周波数変調信号に切り替えられ、並びに、オン状態で第２の周波数変調信号を受信して前記第２の共振エネルギーに切り替えられ、
前記第２の蓄電・給電装置が前記第２の共振回路装置に電気的に接続され、前記第２の蓄電・給電装置は、第３の周波数変調信号を受信するとともに前記第３の周波数変調信号を第３の電気に切り替えて電気を蓄え、並びに、第２の電気を付与するとともに前記第２の電気を前記第２の周波数変調信号に切り替えられたことを特徴とする請求項１に記載のカバー式双方向ワイヤレス充放電装置。
【請求項１０】
前記第１の蓄電・給電装置は、さらに、
前記第１の電気を第１の直流信号に切り替えられ、並びに、第４の直流信号を受信して前記第４の電気に切り替えられて電気を蓄える第１の制御回路装置と、
前記第１の制御回路装置に電気的に接続され、前記第１の直流信号を受信して第１の交流信号に切り替えられ、並びに、第４の交流信号を受信して前記第４の直流信号に切り替えられる第１の振動回路装置と、
前記第１の振動回路装置に電気的に接続され、前記第１の交流信号を受信して前記第１の周波数変調信号に切り替えられ、並びに、前記第４の周波数変調信号を受信して前記第４の交流信号に切り替えられる第１の駆動回路装置とを含むことを特徴とする請求項９に記載のカバー式双方向ワイヤレス充放電装置。
【請求項１１】
前記第１の蓄電・給電装置は、さらに、前記第１の制御回路装置に電気的に接続された第１の電源装置を有することを特徴とする請求項１０に記載のカバー式双方向ワイヤレス充放電装置。
【請求項１２】
前記第１の共振回路装置は、少なくとも２つのＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を備えることを特徴とする請求項９に記載のカバー式双方向ワイヤレス充放電装置。
【請求項１３】
前記オン状態は、少なくとも１つのＭＯＳＦＥＴが作動する状態であることを特徴とする請求項１２に記載のカバー式双方向ワイヤレス充放電装置。
【請求項１４】
前記オフ状態は、全てのＭＯＳＦＥＴが作動停止する状態であることを特徴とする請求項１２に記載のカバー式双方向ワイヤレス充放電装置。
【請求項１５】
前記第２の蓄電・給電装置は、さらに、
前記第２の共振回路装置に電気的に接続され、前記第３の周波数変調信号を受信して第３の交流信号に切り替えられ、並びに、第２の交流信号を受信して前記第２の周波数変調信号に切り替えられる第２の駆動回路装置と、
前記第２の駆動回路装置に電気的に接続されて、前記第３の交流信号を受信して第３の直流信号に切り替えられ、並びに、第２の直流信号を受信して前記第２の交流信号に切り替えられる第２の振動回路装置と、
前記第２の振動回路装置に電気的に接続されて、前記第３の直流信号を受信して第３の電気に切り替えられて電気を蓄え、並びに、前記第２の電気を受けて前記第２の直流信号に切り替えられる第２の制御回路装置と、を含むことを特徴とする請求項９に記載のカバー式双方向ワイヤレス充放電装置。
【請求項１６】
前記第２の共振回路装置は、少なくとも２つのＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を備えることを特徴とする請求項９に記載のカバー式双方向ワイヤレス充放電装置。
【請求項１７】
前記オン状態は、少なくとも１つのＭＯＳＦＥＴが作動する状態であることを特徴とする請求項１６に記載のカバー式双方向ワイヤレス充放電装置。
【請求項１８】
前記オフ状態は、全てのＭＯＳＦＥＴが作動停止する状態であることを特徴とする請求項１６に記載のカバー式双方向ワイヤレス充放電装置。
【考案の詳細な説明】
【技術分野】
【０００１】
本考案は、バー式双方向ワイヤレス充放電装置に関し、特に、共振エネルギーを双方向で授受して切り替えられることによって放電、充電を行い、様々な携帯式電子製品の充電や放電及び即時給電に適用できる双方向ワイヤレス充放電装置に関する。
【背景技術】
【０００２】
近年、科学技術の持続的な進歩に伴い、多くの電子機器が、例えば、携帯電話（Ｍｏｂｉｌｅ  Ｐｈｏｎｅ）や、携帯情報端末（ＰＤＡ：Ｐｅｒｓｏｎａｌ  Ｄｉｇｉｔａｌ  Ａｓｓｉｓｔａｎｔ）、ナビゲーション装置、小型インターネット端末（ＭＩＤ：ｍｏｂｉｌｅ  ｉｎｔｅｒｎｅｔ  ｄｅｖｉｃｅｓ）、または電子ブックなどを含む手持ち可能なサイズまでの様々な携帯型電子機器にコンパクト化されつつある。
【考案の概要】
【考案が解決しようとする課題】
【０００３】
これらの携帯型電子製品は、携帯便利、いつでも使用可能な効果を備えているが、機能が増え続け、処理速度をより高められるため、バッテリの継続力が足りない問題が残されている。この点について、従来では、持ち歩ける様々な携帯型電子機器に対してそれぞれの付属電源アダプタ（ＡＣアダプタ）を別に携帯しなければならないので、面倒や不便になり、なおさら、使用されている携帯型電子機器のそれぞれは、いずれも、専用の電源アダプタが付いており、共通で使用できず、或る携帯型電子機器が使用されず又はより優れた製品に取り換えされた際に、その専用の電源アダプタもそれに伴って廃棄され、環境汚染となり、環境に極めて悪いという欠点が確かにある。
【０００４】
そのため、様々な携帯型電子機器を共通に充電、放電可能となり、それぞれの付属電源アダプタ（ＡＣアダプタ）を別に携帯しなくても良い本考案は、どうすれば設計できるのかが、本考案の創作者が解決しようとする課題である。
【０００５】
本考案は、様々な携帯型電子機器（例えば、携帯電話や、携帯情報端末（ＰＤＡ）、ナビゲーション装置、小型インターネット端末（ＭＩＤ）、または電子ブックなどを含み）を共通に充電、放電可能となり、それぞれの付属電源アダプタ（ＡＣアダプタ）を別に携帯しなくても良く、便利性を備え、且つ環境汚染が避けられるカバー式双方向ワイヤレス充放電装置を提供することを主な目的とする。
【０００６】
本考案は、カバーを設けることにより、様々な携帯型電子機器を保護及び位置決めすることができるカバー式双方向ワイヤレス充放電装置を提供することを次の目的とする。
【０００７】
本考案は、カバーにより受容体がカバーされるだけではなく、さらに、双方向ワイヤレス充放電装置に位置決めされた携帯型電子機器をカバーすることも可能となるため、より優れた保護機能及び精緻な外見を備えるカバー式双方向ワイヤレス充放電装置を提供することをもう１つの目的とする。
【課題を解決するための手段】
【０００８】
前記目的を達成するため、本考案によるカバー式双方向ワイヤレス充放電装置は、第２の受送信回路装置を有する相手側の充放電装置と共振エネルギーを授受して放電、充電を行うカバー式双方向ワイヤレス充放電装置であって、受容体と、第１の受送信回路装置と、カバーとを含む。ここで、前記第１の受送信回路装置が前記受容体内に設けられ、前記第１の受送信回路装置は、前記受容体から露出されたコネクタを少なくとも１つ含み、前記第１及び第２の受送信回路装置の間で前記共振エネルギーをそれぞれ無線で授受し、前記共振エネルギーが電気に切り替えられ且つ前記コネクタを介して伝送され、並びに該電気を共振エネルギーに切り替えられて無線送信されるように仕組まれた。前記カバーは、前記受容体を覆い、且つ、前記受容体とで位置決め部が形成された。
【考案の効果】
【０００９】
よって、様々な携帯型電子機器を共通に充電、放電可能となり、それぞれの付属電源アダプタ（ＡＣアダプタ）を別に携帯しなくても良く、便利性を備え、且つ環境汚染が避けられ、さらに、電子機器を双方向で無線充放電する効果に達することができる。
【図面の簡単な説明】
【００１０】
【図１】本考案による第１実施例の分解斜視図である。
【図２】本考案による第１実施例の組立斜視図であり、その相手側の充放電装置及び携帯型電子機器との間の分離状態を示す図である。
【図３】本考案による第１実施例を図２の３−３線断面で示す図ある。
【図４】本考案による第２実施例の分解斜視図である。
【図５】本考案による第２実施例の組立斜視図である。
【図６】本考案による第２実施例を示す断面図である。
【図７】本考案による第２実施例における第１の電源装置が増設された場合の断面図である。
【図８Ａ】本考案の回路ブロック図である。
【図８Ｂ】本考案の回路ブロック図である。
【図９】本考案を携帯型電子機器及び異なるタイプの相手側の充放電装置との間に適用された分離状態を示す図である。
【考案を実施するための形態】
【００１１】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【００１２】
本考案は、カバー式双方向ワイヤレス充放電装置を提供し、該カバー式双方向ワイヤレス充放電装置は、主に、第２の受送信回路装置２１を有する相手側の充放電装置２と共振エネルギー（６５または７５）を双方向で授受して切り替えられることによって放電、充電を行い、且つ、本考案の双方向ワイヤレス充放電装置に差し込んた携帯型電子機器３（例えば、携帯電話や、携帯情報端末（ＰＤＡ）、ナビゲーション装置、小型インターネット端末（ＭＩＤ）、または電子ブックなどを含み）に対して充電、放電を行う。
【実施例１】
【００１３】
図１〜図３は、本考案による第１実施例を示し、双方向ワイヤレス充放電装置（図１、図３のように）は、相手側の充放電装置２と共振エネルギーを双方向で無線授受するように放電、充電を行い（図２のように）、充放電装置２は、第２の受送信回路装置２１を有し、充放電装置２は、さらに、第２の受送信回路装置２１に電気的に接続された電源ユニット２２を含み、電源ユニット２２が電源コンセント４に差し込まれて電気を得る。
【００１４】
双方向ワイヤレス充放電装置は、受容体１１と、第１の受送信回路装置１３と、カバー５とをみ、ここで、第１の受送信回路装置１３が受容体１１内に設けられ、第１の受送信回路装置１３は、少なくとも１つのコネクタ１３６を有し、コネクタ１３６が受容体１１から露出され、携帯型電子機器３の充電端子３１と電気的に接続でき、充放電装置２は、第２の受送信回路装置２１を有し、第１、第２の受送信回路装置１３、２１の間で共振エネルギーをそれぞれ無線で授受し、該共振エネルギーが電気に切り替えられ且つコネクタ１３６及び充電端子３１を介して伝送され、並びに該電気を共振エネルギーに切り替えして無線伝送されることによって、本考案の双方向ワイヤレス充放電装置を経由して充放電装置２による携帯型電子機器３への充電、放電及び即時給電を行うことができる（携帯型電子機器３の電気も充放電装置２又は他の第２の受送信回路装置２１を有する電子機器に逆伝送可能となっている）。
【００１５】
カバー５は、受容体１１を覆い、且つ、受容体１１とで携帯型電子機器３を固定するための位置決め部１４ａが形成され、同時に、保護や美観の効果を備える。
【００１６】
より好ましくは、受容体１１は、バックボード１１１と、バックボード１１１の底部に連結されたベース１１２とを含み、さらに、バックボード１１１には一対のクランプアーム１２が形成され、後述の第１の共振回路装置１３１を除き、第１の受送信回路装置１３がいずれもベース１１２内に設けられ（図３のように、第１の共振回路装置１３１がバックボード１１１内に設けられ）、第１の受送信回路装置１３のコネクタ１３６は、ベース１１２の上側１１２ａから露出された。さらに、図１、図２に示すように、カバー５は、皮革材質であって、被覆片５１と、被覆片５１の一方側に連結された蓋片５２とを含み、カバー５は、受容体１１を被覆片５１で覆い、具体的に言えば、被覆片５１の内面５１０には両クランプアーム１２及びベース１１２に対応する２つの第１の開口５１１及び１つの第２の開口５１２を有し、両クランプアーム１２が２つの第１の開口５１１を経由してカバー５の外に延在され、ベース１１２が第２の開口５１２を経由してカバー５の外に露出されることによって、両クランプアーム１２とベース１１２とカバー５の内面５１０で上記の位置決め部１４ａが形成され、また、カバー５は、連結部５３をさらに有し、連結部５３が被覆片５１及び蓋片５２と隣接する辺に接続され、カバー５を閉じる際に携帯型電子機器３の厚みに応じる効果を持たせる。
【００１７】
図２に示すように、携帯型電子機器３を充電しようとすると、携帯型電子機器３を本考案の双方向ワイヤレス充放電装置の位置決め部１４ａに位置決めさせることだけで、充電端子３１とコネクタ１３６とを電気的に挿着することができ、続いて、双方向ワイヤレス充放電装置を電源に接続された充放電装置２に近接し又は互いに隣接することにより、第１、第２の受送信回路装置１３、２１の間で共振エネルギーをそれぞれ無線で授受し、該共振エネルギーが電気に切り替えられ且つコネクタ１３６及び充電端子３１を介して伝送され、並びに該電気を共振エネルギーに切り替えして無線伝送され、携帯型電子機器３への充電、放電及び即時給電を行うことができる。
【実施例２】
【００１８】
図４〜図６は、本考案による第２実施例を示し、第２実施例の双方向ワイヤレス充放電装置が、第１実施例とは、カバー８のみが異なり、且つ受容体１１には第１実施例のランプアーム１２が設けられていない点を除いて、同じである。
【００１９】
カバー８は、囲い式カバー型であり、その内部は中空となり且つ正面８３に開口８３１が形成され、上記の受容体１１は、ベース１１２に上側１１２ａが形成された外、バックボード１１１には正面１１１ａをさらに有し、このように、図６に示すように、カバー８の周縁８１、８２と覆われた受容体１１の正面１１１ａ及び上側１１２ａとで位置決め部１４ｂが形成され、携帯型電子機器３を位置決め部１４ｂ内に固定し易くするため、カバー８の開口８３１が位置決め部１４ｂに連通されている。また、カバー８は、軟性ゴム材質又は皮革材質である。
【００２０】
携帯型電子機器３が本考案の双方向ワイヤレス充放電装置の第２実施例の位置決め部１４ｂ内に固定されると、充電端子３１とコネクタ１３６とが電気的に挿着され、上記の双方向の充電、放電を行う。
【００２１】
もちろん、図７に示すように、本考案の双方向ワイヤレス充放電装置の第２実施例は、さらに、第１の受送信回路装置１３に第１の電源装置（二次電池）１３５を設けても良い、第１の電源装置１３５が受容体１１のバックボード１１１に設けられ、第１の電源装置１３５の取り付け方法について、バックボード１１１（図示せず）に直接的に内蔵する外、図に示すように、バックボード１１１に電源装置位置決め部１５が設けられ、第１の電源装置１３５が第１の受送信回路装置１３に電気的に接続されたように電源装置位置決め部１５内に固定され、第１の電源装置１３５及びコネクタ１３６に電気が流れる。
【００２２】
＜本考案の双方向ワイヤレス充放電の回路＞
図８Ａに示すように、双方向ワイヤレス充放電回路は、双方向ワイヤレス充放電装置に設けられた第１の受送信回路装置１３と、相手側の充放電装置２に設けられた第２の受送信回路装置２１とを含む。第１の受送信回路装置１３は、さらに、第１の蓄電・給電装置１３０と第１の共振回路装置１３１とを含み、第１の蓄電・給電装置１３０は、第１の電気６１を付与するとともに第１の電気６１を第１の周波数変調信号６４に切り替える。より好ましくは、第１の蓄電・給電装置１３０は、さらに、第１の制御回路装置１３２と、第１の振動回路装置１３３と、第１の駆動回路装置１３４とを含む。まず、第１の蓄電・給電装置１３０は、第１の電源装置１３５（例えば、二次電池）で第１の電気６１を付与し、第１の制御回路装置１３２は、第１の電気６１を第１の直流信号６２に切り替える。第１の振動回路装置１３３が第１の制御回路装置１３２に電気的に接続され、第１の振動回路装置１３３は、第１の直流信号６２を受信して第１の交流信号６３に切り替える。第１の駆動回路装置１３４が第１の振動回路装置１３３に電気的に接続され、第１の振動回路装置１３３は、第１の交流信号６３を受信して第１の周波数変調信号６４に切り替える。
【００２３】
図８Ｂは、第１の共振回路装置１３１と第２の共振回路装置２１１との対応結合の好ましい実施例を示す図であり、第１の蓄電・給電装置１３０にコネクタ１３６が電気的に接続された。
【００２４】
第１の共振回路装置１３１が第１の蓄電・給電装置１３０に電気的に接続され、より好ましくは、第１の共振回路装置１３１は、少なくとも２つのＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）１３１１より電気的に接続して形成されたハーフブリッジ型電力回路を有する。第１の共振回路装置１３１が、少なくとも１つのＭＯＳＦＥＴ１３１１が作動する状態であるオン状態となる場合には、発射状態となり、第１の共振回路装置１３１は、第１の周波数変調信号６４を受信して第１の共振エネルギー６５に切り替える。
【００２５】
第２の受送信回路装置２１は、第１の受送信回路装置１３に対応しており、第２の受送信回路装置２１は、さらに、第２の共振回路装置２１１と第２の蓄電・給電装置２１０とを含む。第２の共振回路装置２１１は、第１の共振回路装置１３１に対応しており、より好ましくは、第２の共振回路装置２１１は、少なくとも２つのＭＯＳＦＥＴ２１１１で電気的に接続して形成されたハーフブリッジ型電力回路を有する。このとき、第２の共振回路装置２１１は、全てのＭＯＳＦＥＴ２１１１が作動停止する状態であるオフ状態となる場合には、受信状態となり、第２の共振回路装置２１１は、第１の共振エネルギー６５を受けて第３の周波数変調信号６６に切り替える。第２の蓄電・給電装置２１０が第２の共振回路装置２１１に電気的に接続され、第２の蓄電・給電装置２１０は、第３の周波数変調信号６６を受信するとともに第３の周波数変調信号６６を第３の電気６９に切り替えられて電気を蓄える。
【００２６】
より好ましくは、第２の蓄電・給電装置２１０は、さらに、第２の駆動回路装置２１４と、第２の振動回路装置２１３と、第２の制御回路装置２１２とを含み、第２の駆動回路装置２１４が第２の共振回路装置２１１に電気的に接続され、第２の駆動回路装置２１４は、第３の周波数変調信号６６を受信して第３の交流信号６７に切り替える。第２の振動回路装置２１３が第２の駆動回路装置２１４に電気的に接続され、第２の振動回路装置２１３は、第３の交流信号６７を受信して第３の直流信号６８に切り替える。第２の制御回路装置２１２が第２の振動回路装置２１３に電気的に接続され、第２の制御回路装置２１２は、第３の直流信号６８を受信するとともに第３の電気６９に切り替えられて第２の電源装置２１５（例えば、二次電池）に電気を蓄える。
【００２７】
もちろん、第２の共振回路装置２１１は、少なくとも１つのＭＯＳＦＥＴ２１１１が作動する状態であるオン状態となる場合には、発射状態となり、第１の共振回路装置１３１は、全てのＭＯＳＦＥＴ１３１１が作動停止する状態であるオフ状態となる場合には、受信状態となる。この際に、第２の蓄電・給電装置２１０は、第２の電源装置２１５（例えば、二次電池）で第２の電気７１を付与し、第２の制御回路装置２１２は、第２の電気７１を第２の直流信号７２に切り替える。第２の振動回路装置２１３は、第２の直流信号７２を受信して第２の交流信号７３に切り替えして、第２の駆動回路装置２１４は、第２の交流信号７３を受信して第２の周波数変調信号７４に切り替える。第２の共振回路装置２１１は発射状態となり、第２の周波数変調信号７４を受信して第２の共振エネルギー７５に切り替える。第１の共振回路装置１３１は受信状態となり、第２の共振エネルギー７５を受けて第４の周波数変調信号７６に切り替える。第１の駆動回路装置１３４は、第４の周波数変調信号７６を受信して第４の交流信号７７に切り替える。第１の振動回路装置１３３は、第４の交流信号７７を受信して第４の直流信号７８に切り替えして、第１の制御回路装置１３２は、第４の直流信号７８を受信して第４の電気７９に切り替えして第１の電源装置１３５に電気を蓄える。よって、電子機器の双方向無線充放電の効果を確実的に達成できる。
【００２８】
図８Ａ、図８Ｂに示された回路ブロック図は、本考案の第１及び第２実施例において共用可能となっている。
【００２９】
図９に示すように、本考案の第１及び第２実施例の双方向ワイヤレス充放電装置は、異なるタイプの相手側の充放電装置と組み合わせて使用できる。図に示すように、相手側の充放電装置の電源ユニット２２は、元々の有線式から無線式に代えられるので、第２の受送信回路装置２１’が増設され、相手側の充放電装置は、さらに、第１の電源装置（二次電池）１３５’を有する第１の受送信回路装置１３’を設けた。よって、相手側の充放電装置と電源ユニット２２との間でも共振エネルギーを無線で授受し、さらに該共振エネルギーが電気に切り替えられ、第１の電源装置（二次電池）１３５’に電気を蓄えることができる。
【００３０】
本考案によるカバー式双方向ワイヤレス充放電装置は、様々な携帯型電子機器３（例えば、携帯電話や、携帯情報端末（ＰＤＡ）、ナビゲーション装置、小型インターネット端末（ＭＩＤ）、または電子ブックなどを含み）を共通に充電、放電可能となり、それぞれの付属電源アダプタ（ＡＣアダプタ）を別に携帯しなくても良く、便利性を備え、且つ環境汚染が避けられること（電源アダプタ（ＡＣアダプタ）を使用しなくても良いから、電源アダプタを廃棄する度にもたらす環境汚染を大幅に減少でき）、カバー５、８を設けることにより、様々な携帯型電子機器３を保護及び位置決めすることができること、カバー５、８により、受容体１１と双方向ワイヤレス充放電装置に位置決めされたされた携帯型電子機器３をカバーするで、より優れた保護機能及び精緻な外見を備えること、及び、共振回路装置によりオン状態で共振エネルギーを伝送する一方、オフ状態で共振エネルギーを受けることによって、電子機器を双方向で無線充放電する効果を達成できることを特徴とする。また、第１の電源装置１３５、１３５’及び第２の電源装置２１５は、超薄型の可撓性バッテリを用いることにより、一層実用化される。
【００３１】
以上の説明は、単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３２】
２            相手側の充放電装置
３            携帯型電子機器
４            コンセント
５            カバー
８            カバー
１１          受容体
１２          クランプアーム
１３、１３’  第１の受送信回路装置
１４ａ        位置決め部
１４ｂ        位置決め部
１５          電源装置位置決め部
３１          充電端子
２１、２１’  第２の受送信回路装置
２２          電源ユニット
５１          被覆片
５２          蓋片
５３          連結部
６１          第１の電気
６２          第１の直流信号
６３          第１の交流信号
６４          第１の周波数変調信号
６５          第１の共振エネルギー
６６          第３の周波数変調信号
６７          第３の交流信号
６８          第３の直流信号
６９          第３の電気
７１          第２の電気
７２          第２の直流信号
７３          第２の交流信号
７４          第２の周波数変調信号
７５          第２の共振エネルギー
７６          第４の周波数変調信号
７７          第４の交流信号
７８          第４の直流信号
７９          第４の電気
８１、８２    周縁
８３          正面
１１１        バックボード
１１１ａ      正面
１１２        ベース
１１２ａ      上側
１３０        第１の蓄電・給電装置
１３１        第１の共振回路装置
１３２        第１の制御回路装置
１３３        第１の振動回路装置
１３４        第１の駆動回路装置
１３５        第１の電源装置
１３５’      第１の電源装置
１３６        コネクタ
２１０        第２の蓄電・給電装置
２１１        第２の共振回路装置
２１２        第２の制御回路装置
２１３        第２の振動回路装置
２１４        第２の駆動回路装置
２１５        第２の電源装置
５１０        内面
５１１        第１の開口
５１２        第２の開口
８３１        開口
１３１１      ＭＯＳＦＥＴ
２１１１      ＭＯＳＦＥＴ
【図１】
0003170478.tif 000003
【図２】
0003170478.tif 000004
【図３】
0003170478.tif 000005
【図４】
0003170478.tif 000006
【図５】
0003170478.tif 000007
【図６】
0003170478.tif 000008
【図７】
0003170478.tif 000009
【図８Ａ】
0003170478.tif 000010
【図８Ｂ】
0003170478.tif 000011
【図９】
0003170478.tif 000012